(57)【要約】  ヘッドと、噴霧器と、そのための電力供給装置と、使用中噴霧器によって毛髪に塗布される組成物を収容するリザーバとを備える整髪器具であって、組成物は、乳剤の粘度が２５℃で８ＣＳｔ未満である乳化された組成物を含む。【特許請求の範囲】
【請求項１】
ヘッドと、噴霧器と、そのための電力供給装置と、使用中噴霧器によって毛髪に塗布される組成物を収容するリザーバとを備える整髪器具であって、組成物が、乳剤の粘度が２５℃で８ｃＳｔ未満である乳化された組成物を含む、整髪器具。
【請求項２】
乳化された組成物が、有益剤を含む、請求項１に記載の器具。
【請求項３】
有益剤が、シリコーンである、請求項２に記載の器具。
【請求項４】
シリコーンが、２５℃で３ＭｃＳｔを下回る粘度を有する、請求項２に記載の器具。
【請求項５】
組成物内のシリコーンの合計レベルが、全組成の０．５から３５重量％である、請求項３または４に記載の器具。
【請求項６】
ヘッドが、剛毛または歯状支持部である、請求項１から５のいずれか一項に記載の整髪器具。
【請求項７】
ブラシである、請求項１から６のいずれか一項に記載の器具。
【請求項８】
噴霧器が、剛性リングによって画定されたガーゼと、噴霧される組成物を収容するためのリザーバと、電力供給装置に接続された回路とを備える、請求項１から７のいずれか一項に記載の器具。
【請求項９】
ガーゼが、リザーバに対して出っ張っている、請求項８に記載の器具。
【請求項１０】
噴霧器が、ヘッド内に位置しており、ヘッドがまた、使用中、噴霧される流体を毛髪上に放出するための開口も備える、請求項１から９のいずれか一項に記載の器具。
【請求項１１】
電力供給装置を収容するハンドルを備える、請求項１から１０のいずれか一項に記載の器具。
【請求項１２】
毛髪有益剤を毛髪上に付着させるための方法であって、
ｉ）請求項１から１１のいずれか一項に記載の乳化された組成物を調剤するステップと、
ｉｉ）請求項１から１１のいずれか一項に説明された機器を用いて製剤を噴霧するステップとを含む、方法。
【発明の詳細な説明】
【技術分野】
【０００１】
本発明は、整髪器具およびそれと共に使用するための製剤に関する。
【発明の概要】
【発明が解決しようとする課題】
【０００２】
本発明は、整髪器具からの有益剤、特に高分子量シリコーンの付着問題を対象とする。
【課題を解決するための手段】
【０００３】
したがって、本発明は、ヘッドと、噴霧器と、そのための電力供給装置と、使用中噴霧器によって毛髪に塗布される組成物を収容するリザーバとを備える整髪器具を提供し、組成物は、乳剤の粘度が２５℃で８ｃＳＴ未満である乳化された組成物を含む。
【０００４】
好ましくは、ヘッドは、剛毛または歯状支持部のものであり、より好ましくは、器具は、くしまたはブラシである。最も好ましくは、器具はブラシである。
【０００５】
噴霧器は、当技術分野で知られているものから選択される。好ましくは、噴霧器は、剛性リングによって画定されたガーゼと、噴霧される組成物を収容するためのリザーバと、電力供給装置に接続された回路とを備える。そのような噴霧器は、Ａｅｒｏｇｅｎ（Ｒ）から市販されている。
【０００６】
好ましくは、ガーゼは、リザーバに対して出っ張っている。これは、使用中、噴霧される流体の毛髪方向への移動を改良する。
【０００７】
好ましくは、噴霧器は、ヘッド内に位置しており、ヘッドはまた、使用中、噴霧される流体を毛髪に放出するための開口も備える。好ましくは、開口は、ヘッド内の穴または長穴である。好ましい実施形態では、複数の開口が存在する。
【０００８】
器具がブラシである場合、開口は、ブラシヘッド上の中央に位置することが好ましい。より好ましくは開口は、剛毛によって取り囲まれる。２つ以上の開口が存在する場合、これらは、好ましくは、噴霧されるものの均一な放出をもたらすためにブラシヘッド上に対称に配置される。
【０００９】
器具がくしである場合、くしヘッド上に均一に位置する複数の開口が存在することが好ましい。
【００１０】
好ましくは、噴霧器は、器具内のチャンバ内に位置しており、チャンバは、チャネルによって外部に連結される。
【００１１】
好ましくは、器具は、電力源を収容するハンドルを備える。あるいは、電力源は、別個のものでもよく、器具は、主電源から供給されてもよい。
【００１２】
有益剤は、香料、シリコーンオイル、ワックス、炭化水素、高級脂肪酸、エッセンシャルオイル、ヘアスタイリングポリマー、着色剤、ヘアコンディショナー、洗髪剤、毛髪成長促進剤、ビタミン、ヘアーストレート剤、毛髪成長刺激剤、毛髪成長遅延剤、脱毛阻害剤、抗菌剤、抗真菌剤、抗炎症剤、かゆみ止め剤、皮脂抑制剤、日焼け止め剤およびそれらの混合物からなる群から選択され得る。
【００１３】
特に好ましい有益剤は、シリコーンである。適切なシリコーンは、ポリオルガノシロキサン、特にＣＴＦＡ指定のジメチコーンを有するポリジメチルシロキサンを含む。また、ＣＴＦＡ指定ジメチコノールを有する、ヒドロキシル末端基を有するポリジメチルシロキサンが、本発明の使用組成物に特に適している。
【００１４】
乳化されたシリコーン自体の粘度（乳剤または最終ヘアコンディショニング組成物ではない）は、好ましくは、少なくとも１０，０００ｃＳｔ（２５°Ｃ）である。シリコーン自体の粘度は、好ましくは少なくとも６０，０００ｃＳｔ（２５°Ｃ）であり、最も好ましくは少なくとも５００，０００ｃＳｔ（２５°Ｃ）であり、理想的には少なくとも９００，０００ｃＳｔ（２５°Ｃ）である。好ましくは、粘度は、３ＭｃＳｔ（２５°Ｃ）を超えない。
【００１５】
本発明で使用する乳化されたシリコーンは、通常、組成物において、１０００ｎｍ未満、好ましくは８００ｎｍ未満、より好ましくは７００ｎｍ未満の平均シリコーン粒子サイズ（Ｄ５０）を有するが、理想的にはこれは、１００から８００ｎｍであり、より好ましくは１５０ｎｍから６００ｎｍである。
【００１６】
本発明の組成物に使用される適切なシリコーン乳剤は、Ｄｏｗ  ＣｏｒｎｉｎｇおよびＧＥ  Ｓｉｌｉｃｏｎｅｓなどのシリコーンの供給者から入手可能である。そのようなあらかじめ調剤されたシリコーン乳剤の使用は、シリコーン粒子サイズを加工し、制御することが容易になるために好ましい。そのようなあらかじめ調剤されたシリコーン乳剤は、通常、アニオン性または非イオン性の乳化剤などの適切な乳化剤、またはそれらの混合物を追加的に含み、乳化重合などの化学的乳化プロセスまたは高せん断ミキサを用いた機械的乳化によって調製され得る。
【００１７】
適切なあらかじめ調剤されたシリコーン乳剤の例は、いずれもＤｏｗ  Ｃｏｒｎｉｎｇから入手可能である、ＤＣ２−１７６６、ＤＣ−１７８５、ＤＤＣ−１７８８、ＤＣ２−１８６５およびＤＣ２−１８７０の乳剤を含む。ジメチコノールのすべての乳剤／マイクロ乳剤が存在している。好ましいシリコーンは、ＤＣ５−７０５１であり、特に好ましいのは、ＤＣ１７８８およびＤＣ１７８５である。
【００１８】
上記で説明されたシリコーン乳剤のどのような混合物も使用されてもよい。
【００１９】
シリコーンレベルは、好ましくは、全組成の０．１から４０％重量、より好ましくは０．５から３５％重量、特に１から３０％重量で存在する。付着され得るシリコーンのレベルは、使用されるシリコーンによって決まる。
【００２０】
本発明と共に使用される組成物は、適切には、担体を含む。好ましくは、この担体は水である。
【００２１】
好ましくは、全組成における担体のレベルは、全組成の６０重量％を上回り、より好ましくは７０重量％を上回り、最も好ましくは８０重量％を上回る。
【００２２】
最終組成物の粘度は、好ましくは２５℃で１ｃＳｔから８ｃＳｔ、より好ましくは２ｃＳｔから７．５ｃＳｔ（２５℃）、最も好ましくは、これらは、３．５ＭｃＳｔ（２５°Ｃ）を上回る粘度を有する。シリコーン乳剤を噴霧する際、シリコーンの溶液が使用される場合と比べて、より多くのシリコーンがより高い組成物粘度で付着され得ることが見出される。
【００２３】
生成物が、塗布後毛髪上に残されており、すぐに（塗布１０分以内）洗い流されない場合が好ましい。そのような生成物は、洗い流さない組成物として知られている。
【００２４】
製剤のｐＨは、好ましくは２５°Ｃで２．５から６である。より好ましくは３から５である。
【００２５】
適切な乳化剤の例は、非イオン性、カチオン性、アニオン性の界面活性剤またはそれらの混合物を含む。そのような乳化剤が使用される場合、これは、好ましくは、組成物の総重量に基づいて重量で約０．０１％から約７．５％のレベルで存在する。
【００２６】
本発明は、次に、非限定的な図を参照して説明される。
【図面の簡単な説明】
【００２７】
【図１】本発明によるブラシの概略断面図である。
【図２ａ】本発明によるブラシの平面図である。
【図２ｂ】本発明によるブラシの平面図である。
【図２ｃ】本発明によるブラシの平面図である。
【発明を実施するための形態】
【００２８】
詳細には、図１は、電力供給装置３を収容するハンドル２に連結されたブラシヘッド１を示している。ヘッド１は、ガーゼ７用の支持体５と、毛髪ケア組成物を収容するリザーバ６とからなる噴霧器１０を収容する。ブラシヘッド１はまた、そこに従属する剛毛８と、噴霧される毛髪ケア組成物の放出のためのヘッド１内の開口９とを有する。
【００２９】
図２は、本発明による開口の３つの実施形態を示している。図２ａは、ブラシヘッドの中央を下方向に通り、剛毛８によってすべての側部が取り囲まれている開口９を備えたブラシヘッド１を示している。図２ｂでは、均一に離間され、ブラシ（図示せず）のほぼ長手方向の軸に垂直な３つの開口が存在している。図２ｃでは、３つのダイアモンド形状の開口の２本線として配置された６つの開口が存在している。
【００３０】
以下は、本発明による非限定的な例である。
【００３１】
約１ｇの各水性乳剤が、知られている重量の密閉された容器内に噴霧された。水が、容器から蒸発し、噴霧されたシリコーンの量が、容器を再度量ることによって測定された。
【００３２】
この実験の標準誤差が計算されたが、これは、０．００１４ｇである付着値における誤差に等しい。
【００３３】
【表１】
2012504989.tif 000002
この実験の結果は、本発明の乳剤によるシリコーン移送の損失は存在しないことを決定的に表している。
【００３４】
毛髪を乾かすために、ＤＣ５−７０５１（水分中２重量％）およびイソドデカン中ＤＣ２００  ３５０ｃＳｔが、噴霧器を使用して塗布された。平坦に広げられた２．５ｇＴＡスイッチ。Ｘ線蛍光試料が、スイッチの中心から取り出され、シリコーンのレベルが測定された。
【００３５】
【表２】
2012504989.tif 000003
上記のデータは、２％のＤＣ５−７０５１乳剤が、イソドデカン中０．５％のＤＣ２００の溶液よりより良好な付着（予想値に対して）を呈していることを示している。
【図１】
2012504989.tif 000004
【図２ａ】
2012504989.tif 000005
【図２ｂ】
2012504989.tif 000006
【図２ｃ】
2012504989.tif 000007
【手続補正書】
【提出日】平成22年9月23日(2010.9.23)
【手続補正１】
【補正対象書類名】特許請求の範囲
【補正対象項目名】全文
【補正方法】変更
【補正の内容】
【特許請求の範囲】
【請求項１】
ヘッドと、噴霧器と、そのための電力供給装置と、使用中噴霧器によって毛髪に塗布される組成物を収容するリザーバとを備える整髪器具であって、組成物が、乳剤の粘度が２５℃で１ｃＳｔから８ｃＳｔである水性の乳化された組成物を含む、整髪器具。
【請求項２】
乳化された組成物が、有益剤を含む、請求項１に記載の器具。
【請求項３】
有益剤が、シリコーンである、請求項２に記載の器具。
【請求項４】
シリコーンが、２５℃で３ＭｃＳｔを下回る粘度を有する、請求項２に記載の器具。
【請求項５】
組成物内のシリコーンの合計レベルが、全組成の０．５から３５重量％である、請求項３または４に記載の器具。
【請求項６】
ヘッドが、剛毛または歯状支持部である、請求項１から５のいずれか一項に記載の整髪器具。
【請求項７】
ブラシである、請求項１から６のいずれか一項に記載の器具。
【請求項８】
噴霧器が、剛性リングによって画定されたガーゼと、噴霧される組成物を収容するためのリザーバと、電力供給装置に接続された回路とを備える、請求項１から７のいずれか一項に記載の器具。
【請求項９】
ガーゼが、リザーバに対して出っ張っている、請求項８に記載の器具。
【請求項１０】
噴霧器が、ヘッド内に位置しており、ヘッドがまた、使用中、噴霧される流体を毛髪上に放出するための開口も備える、請求項１から９のいずれか一項に記載の器具。
【請求項１１】
電力供給装置を収容するハンドルを備える、請求項１から１０のいずれか一項に記載の器具。
【請求項１２】
毛髪有益剤を毛髪上に付着させるための方法であって、
ｉ）請求項１から１１のいずれか一項に記載の乳化された組成物を調剤するステップと、
ｉｉ）請求項１から１１のいずれか一項に説明された機器を用いて製剤を噴霧するステップとを含む、方法。
【国際調査報告】
2012504989.tif 000008
2012504989.tif 000009
2012504989.tif 000010